(57)【要約】      （修正有）【課題】電源供給装置の部品を変更せず、出力電流に対する制御および調整により、多機種の安全規格認証を申請でき、安全規格申請の時間および費用を減らし、製品のブランド力および企業の競争力をあげることができる電源供給システムおよびその電流制御方法を提供する。【解決手段】一列のフォトダイオード５０を調光制御する電源供給システムであって、交流電源Ｖａｃを直流電源Ｖｄｃに変換して前記一列のフォトダイオード５０を駆動する電源供給装置１０と、前記電源供給装置１０の出力電流Ｉｏを測定して電流フィードバック信号Ｓｉｆを生成する電流測定ユニット２０と、調光信号Ｓｄを受信して電流制御信号Ｓｉｃを生成する出力電流制御ユニット３０と、前記電流フィードバック信号Ｓｉｆおよび前記電流制御信号Ｓｉｃを受信してフィードバック制御信号Ｓｆｃを生成し、前記電源供給装置１０の出力電流Ｉｏを制御するフィードバック回路４０と、を備る。【選択図】図１
2013201879.tif 000002
【特許請求の範囲】
【請求項１】
電源供給装置の出力電流制御方法であって、
前記電源供給装置起動時にその出力電流を上げる第ａ１ステップと、
前記出力電流が定格出力電流値まで上がったら前記出力電流を下げ始める第ｂ１ステップと、
前記出力電流が定常出力電流値まで下がったら前記出力電流を当該定常出力電流値に保持する第ｃ１ステップと、を備えることを特徴とする電流制御方法。
【請求項２】
前記第ｂ１ステップにおいて、前記出力電流は定格時刻に前記定格出力電流値まで上がり、
前記第ｃ１ステップにおいて、前記出力電流は定常時刻に前記定常出力電流値まで下がり、
前記定格時刻と前記定常時刻との時間間隔が電流調整時間であり、
前記定格時刻と、前記定常時刻と、前記電流調整時間とはタイマーにより制御され、
前記電流調整時間が１０秒より短いことを特徴とする請求項１に記載の電流制御方法。
【請求項３】
電源供給装置の出力電流制御方法であって、
前記電源供給装置起動時にその出力電流を上げる第ａ２ステップと、
前記出力電流が定格出力電流値まで上がったら前記出力電流を下げ始める第ｂ２ステップと、
前記出力電流が緩衝出力電流値まで下がったら前記出力電流を当該緩衝出力電流値に保持する第ｃ２ステップと、
緩衝保持時間経過後、再び前記出力電流を下げる第ｄ２ステップと、
前記出力電流が定常出力電流値まで下がったら前記出力電流を当該定常出力電流値に保持する第ｅ２ステップと、を備えることを特徴とする電流制御方法。
【請求項４】
前記第ｂ２ステップにおいて、前記出力電流は定格時刻に前記定格出力電流値まで上がり、
前記第ｃ２ステップにおいて、前記出力電流は緩衝時刻に前記緩衝出力電流値まで下がり、
前記第ｅ２ステップにおいて、前記出力電流は定常時刻に前記定常出力電流値まで下がり、
前記定格時刻と前記定常時刻との時間間隔が電流調整時間であり、
前記定格時刻と、前記緩衝時刻と、前記定常時刻と、前記緩衝保持時間と、前記電流調整時間とはタイマーにより制御され、
前記電流調整時間が１０秒より短く、前記緩衝保持時間が１秒より短いことを特徴とする請求項３に記載の電流制御方法。
【請求項５】
前記電源供給装置により、前記定格出力電流値と前記定常出力電流値との間に複数個の緩衝出力電流値を提供し、前記複数個の緩衝出力電流値のそれぞれに対応した前記緩衝保持時間を提供することを特徴とする請求項４に記載の電流制御方法。
【請求項６】
電源供給装置の出力電流制御方法であって、
前記電源供給装置起動時にその出力電流を上げる第ａ３ステップと、
前記出力電流が定格出力電流値まで上がったら前記出力電流を当該定格出力電流値に保持する第ｂ３ステップと、
定格保持時間経過後、前記出力電流を下げ始める第ｃ３ステップと、
前記出力電流が定常出力電流値まで下がったら前記出力電流を当該定常出力電流値に保持する第ｄ３ステップと、を備えることを特徴とする電流制御方法。
【請求項７】
前記第ｂ３ステップにおいて、前記出力電流は定格時刻に前記定格出力電流値まで上がり、
前記第ｄ３ステップにおいて、前記出力電流は定常時刻に前記定常出力電流値まで下がり、
前記定格時刻と前記定常時刻との時間間隔が電流調整時間であり、
前記定格時刻と、前記定常時刻と、前記定格保持時間と、前記電流調整時間とはタイマーにより制御され、
前記電流調整時間が１０秒より短く、前記定格保持時間が１秒より短いことを特徴とする請求項６に記載の電流制御方法。
【請求項８】
電源供給装置の出力電流制御方法であって、
前記電源供給装置起動時にその出力電流をあげる第ａ４ステップと、
前記出力電流が定格出力電流値まで上がったら前記出力電流を当該定格出力電流値に保持する第ｂ４ステップと、
定格保持時間経過後、前記出力電流を下げ始める第ｃ４ステップと、
前記出力電流が緩衝出力電流値まで下がったら前記出力電流を当該緩衝出力電流値に保持する第ｄ４ステップと、
緩衝保持時間経過後、再び前記出力電流を下げる第ｅ４ステップと、
前記出力電流が定常出力電流値まで下がったら前記出力電流を当該定常出力電流値に保持する第ｆ４ステップと、を備えることを特徴とする電流制御方法。
【請求項９】
前記第ｂ４ステップにおいて、前記出力電流は定格時刻に前記定格出力電流値まで上がり、
前記第ｄ４ステップにおいて、前記出力電流は緩衝時刻に前記緩衝出力電流値まで下がり、
前記第ｆ４ステップにおいて、前記出力電流は定常時刻に前記定常出力電流値まで下がり、
前記定格時刻と前記定常時刻との時間間隔が電流調整時間であり、
前記定格時刻と、前記緩衝時刻と、前記定常時刻と、前記定格保持時間と、前記緩衝保持時間と、前記電流調整時間とはタイマーにより制御され、
前記電流調整時間が１０秒より短く、前記定格保持時間が１秒より短く、前記緩衝保持時間が１秒より短いことを特徴とする請求項８に記載の電流制御方法。
【請求項１０】
前記電源供給装置により、前記定格出力電流値と前記定常出力電流値との間に複数個の緩衝出力電流値を提供し、前記複数個の緩衝出力電流値のそれぞれに対応した前記緩衝保持時間を提供することを特徴とする請求項９に記載の電流制御方法。
【請求項１１】
一列のフォトダイオードを調光制御する電源供給システムであって、
交流電源を直流電源に変換して前記一列のフォトダイオードを駆動する電源供給装置と、
前記電源供給装置の出力電流を測定して電流フィードバック信号を生成する電流測定ユニットと、
調光信号を受信して電流制御信号を生成する出力電流制御ユニットと、
前記電流フィードバック信号および前記電流制御信号を受信してフィードバック制御信号を生成し、前記電源供給装置の出力電流を制御するフィードバック回路と、を備えることを特徴とする電源供給システム。
【請求項１２】
前記出力電流を上げ、前記出力電流が定格出力電流値まで上がったら前記出力電流を下げ始め、
前記出力電流が定常出力電流値まで下がったら前記出力電流を当該定常出力電流値に保持することを特徴とする請求項１１に記載の電源供給システム。
【請求項１３】
前記出力電流を上げ、前記出力電流が定格出力電流値まで上がったら前記出力電流を下げ始め、
前記出力電流が緩衝出力電流値まで下がったら前記出力電流を当該緩衝出力電流値に保持し、
緩衝保持時間経過後、再び前記出力電流を下げ、
前記出力電流が定常出力電流値まで下がったら前記出力電流を当該定常出力電流値に保持することを特徴とする請求項１１に記載の電源供給システム。
【請求項１４】
前記出力電流を上げ、前記出力電流が定格出力電流値まで上がったら前記出力電流を当該定格出力電流値に保持し、
定格保持時間経過後、前記出力電流を下げ始め、
前記出力電流が定常出力電流値まで下がったら前記出力電流を当該定常出力電流値に保持することを特徴とする請求項１１に記載の電源供給システム。
【請求項１５】
前記出力電流を上げ、前記出力電流が定格出力電流値まで上がったら前記出力電流を当該定格出力電流値に保持し、
定格保持時間経過後、前記出力電流を下げ始め、
前記出力電流が緩衝出力電流値まで下がったら前記出力電流を当該緩衝出力電流値に保持し、
緩衝保持時間経過後、再び前記出力電流を下げ、
前記出力電流が定常出力電流値まで下がったら前記出力電流を当該定常出力電流値に保持することを特徴とする請求項１１に記載の電源供給システム。
【発明の詳細な説明】
【技術分野】
【０００１】
本発明は、電源供給システムおよびその電流制御方法に関し、特にフォトダイオード駆動用電源供給システムの電流制御方法に関する。
【背景技術】
【０００２】
安全規格とは安全標準規格ともいい、安全で高品質な製品をエンドユーザまたは操縦者に提供できるように、製造された設備および部品に対して安全標準を明確に記述し定めている。その主な目的としては、感電、火災、機械および熱、放射、化学等による被害を防止しかつ発生率を低下させ、最終使用者および操縦者の生命および財産を守るところにある。製造された設備および部品は、各国の安全規格により認証された後でなければ出荷できない。
【０００３】
現在多数の電源供給装置（ｐｏｗｅｒ  ｓｕｐｐｌｙ）メーカーは、一般的に国際電気標準会議（ｉｎｔｅｒｎａｔｉｏｎａｌ  ｅｌｅｃｔｒｏｔｅｃｈｎｉｃａｌ  ｃｏｍｍｉｓｓｉｏｎ、ＩＥＣ）、ドイツ電子技術者連盟（Ｖｅｒｂａｎｄ  Ｄｅｕｔｓｃｈｅｒ  Ｅｌｅｋｔｒｏｔｅｃｈｎｉｋｅｒｅ、ＶＤＥ）、アメリカ保険業者安全試験所（ｕｎｄｅｒｗｒｉｔｅｒ  ｌａｂｏｒａｔｏｒｙ、ＵＬ）、ドイツ技術検査協会（Ｔｅｃｈｎｉｓｈｅｒ  Ｕｂｅｒｗａｃｈｕｎｇｓ  Ｖｅｒｅｉｎ、ＴＵＶ）、中徳検測実験室有限公司（ＳＬＧ−ＣＰＣ  Ｔｅｓｔｌａｂｏｒａｔｏｒｙ  Ｃｏ．，Ｌｔｄ）またはカナダ規格協会（Ｃａｎａｄｉａｎ  ｓｔａｎｄａｒｄｓ  ａｓｓｏｃｉａｔｉｏｎ、ＣＳＡ）の安全標準を安全認証に使っている。
【発明の概要】
【発明が解決しようとする課題】
【０００４】
しかしながら、安全規格認証およびテストの項目が多様で厳密であるため、設備および部品に対する安全規格を多く認証すればするほど、その申請費用も高く、特に国際安全規格の費用はさらに高い。電源供給装置を例にすると、安全規格の要求により、電源供給装置内部の部品は必ず固定し、出力パラメータも必ず固有値として定めなければならない。そこで、電子部品および設計構造に変更が生じなくても、出力電流の大きさを変えるだけで新たに安全規格の機種申請をしなければならない。このように、同一規格の設備または部品にとって、単なる出力電流値の大きさを変えただけで他に安全規格の機種申請をしなければならないので、製品の初期研究開発費用および量産後の製造費用を大幅に増加し、製品のブランド力および企業の競争力を低下させてしまう。
【０００５】
本発明は、上記事情に鑑みてなされたものであり、フォトダイオード駆動用電源供給システムおよびその電流制御方法を提供し、電源供給装置の出力電流を制御することにより、同一電源供給装置において、出力電流が異なっても同一の電源安全規格認証が適用できるようにすることを目的とする。
【課題を解決するための手段】
【０００６】
本発明は上記課題を解決するために、次のような電源供給装置の出力電流を制御する電流制御方法を提供する。具体的には、まず、電源供給装置起動時にその出力電流を上げる。次に、出力電流が定格出力電流値まで上がったら出力電流を下げ始める。最後に、出力電流が定常出力電流値まで下がったら出力電流を当該定常出力電流値に保持する。
【０００７】
また、本発明は上記課題を解決するために、次のような電源供給装置の出力電流を制御する電流制御方法を提供する。具体的には、まず、電源供給装置起動時にその出力電流を上げる。次に、出力電流が定格出力電流値まで上がったら出力電流を下げ始める。次に、出力電流が緩衝出力電流値まで下がったら出力電流を当該緩衝出力電流値に保持する。次に、緩衝保持時間経過後、再び出力電流を下げる。最後に、出力電流が定常出力電流値まで下がったら出力電流を当該定常出力電流値に保持する。
【０００８】
また、本発明は上記課題を解決するために、次のような電源供給装置の出力電流を制御する電流制御方法を提供する。具体的には、まず、電源供給装置起動時にその出力電流を上げる。次に、出力電流が定格出力電流値まで上がったら出力電流を当該定格出力電流値に保持する。次に、定格保持時間経過後、出力電流を下げ始める。最後に、出力電流が定常出力電流値まで下がったら出力電流を当該定常出力電流値に保持する。
【０００９】
また、本発明は上記課題を解決するために、次のような電源供給装置の出力電流を制御する電流制御方法を提供する。具体的には、まず、電源供給装置起動時にその出力電流を上げる。次に、出力電流が定格出力電流値まで上がったら出力電流を当該定格出力電流値に保持する。次に、定格保持時間経過後、出力電流を下げ始める。次に、出力電流が緩衝出力電流値まで下がったら出力電流を当該緩衝出力電流値に保持する。次に、緩衝保持時間経過後、再び出力電流を下げる。最後に、出力電流が定常出力電流値まで下がったら出力電流を当該定常出力電流値に保持する。
【００１０】
本発明は上記課題を解決するために、次のような一列のフォトダイオードを調光制御する電源供給システムを提供する。具体的には、交流電源を直流電源に変換して一列のフォトダイオードを駆動する電源供給装置と、電源供給装置の出力電流を測定して電流フィードバック信号を生成する電流測定ユニットと、調光信号を受信して電流制御信号を生成する出力電流制御ユニットと、電流フィードバック信号および電流制御信号を受信してフィードバック制御信号を生成し、電源供給装置の出力電流を制御するフィードバック回路とを有する。
【発明の効果】
【００１１】
本発明の効果は次のとおりである。
【００１２】
１．電源供給装置の部品を変更せず、電源供給装置の出力電流に対する制御および調整により、多機種（主な機種および多数の改良機種を含む）の安全規格認証を申請できる。
【００１３】
２．安全規格申請の時間および費用を減らし、製品のブランド力および企業の競争力をあげることができる。
【図面の簡単な説明】
【００１４】
【図１】本発明のフォトダイオード駆動用電源供給システムの回路を示すブロック図である。
【図２】本発明の電源供給装置の出力電流制御方法の第１実施形態の波形を示す図である。
【図３】本発明の電源供給装置の出力電流制御方法の第２実施形態の波形を示す図である。
【図４】本発明の電源供給装置の出力電流制御方法の第３実施形態の波形を示す図である。
【図５】本発明の電源供給装置の出力電流制御方法の第４実施形態の波形を示す図である。
【図６】本発明の電源供給装置の出力電流制御方法の第１実施形態のフローチャートを示す図である。
【図７】本発明の電源供給装置の出力電流制御方法の第２実施形態のフローチャートを示す図である。
【図８】本発明の電源供給装置の出力電流制御方法の第３実施形態のフローチャートを示す図である。
【図９】本発明の電源供給装置の出力電流制御方法の第４実施形態のフローチャートを示す図である。
【発明を実施するための形態】
【００１５】
上記課題を解決する本発明の技術的思想、課題解決の手段および効果をさらに理解しやすいように、以下、図面を参照しながら本発明の実施形態を詳細に説明する。ただし、以下の図面および実施形態は本発明を説明するためだけのものであって、これにより本発明の技術的範囲を限定するものではない。
【００１６】
図１は、本発明のフォトダイオード（ｌｉｇｈｔ−ｅｍｉｔｔｉｎｇ  ｄｉｏｄｅ、ＬＥＤ）駆動電源供給システムの回路を示すブロック図である。ここで、図１に示されたＬＥＤ駆動電源供給システムは本発明の具体的実施形態の一つの図示だけであって、本発明の技術的範囲をこれに限定することはない。本発明のＬＥＤ駆動電源供給システムより種々変化できる実施形態も本発明の技術的範囲内に含まれる。
【００１７】
ＬＥＤ駆動電源供給システムは、一列のフォトダイオード５０に提供する電流を制御し、調光を行う。当該ＬＥＤ駆動電源供給システムは、主に電源供給装置１０と、電流測定ユニット２０と、出力電流制御ユニット３０と、フィードバック回路４０とを含む。
【００１８】
電源供給装置１０は、外部交流電源Ｖａｃに接続され、当該交流電源Ｖａｃを直流電源Ｖｄｃに変換して出力することで、一列のフォトダイオード５０を駆動する。
【００１９】
電源測定ユニット２０は、電気的に電源供給装置１０の出力側に接続され、電源供給装置１０の出力電流Ｉｏｐｓを測定する。なお、当該測定されたＩｏｐｓより電流フィードバック信号Ｓｉｆを生成して、フィードバック回路４０の入力側（不図示）に送信する。
【００２０】
出力電流制御ユニット３０は、調光信号Ｓｄを受信して電流制御信号Ｓｉｃを生成し、電流制御信号Ｓｉｃをフィードバック制御回路４０の他の入力側（不図示）に送信する。ここで、出力電流制御ユニット３０は、マイクロプロセッサ、マイクロコントローラ、フィールド・プログラマブル・ゲート・アレイ、プログラマブルロジックデバイス、または特定用途向け集積回路のいずれかであってよい。また、調光信号Ｓｄはパルス幅変調信号（ｐｕｌｓｅ−ｗｉｄｔｈ  ｍｏｄｕｌａｔｉｏｎ  ｓｉｇｎａｌ）であって、調光信号Ｓｄのデューティ比（ｄｕｔｙ  ｃｙｃｌｅ）を調整することで、一列のフォトダイオード５０の照度を調整する。なお、本発明における調光信号Ｓｄは、内部調光信号または外部調光信号のいずれであってもよい。
【００２１】
上述のように、フィードバック回路４０は受信されたフィードバック信号Ｓｉｆおよび電流制御信号Ｓｉｃよりフィードバック制御信号Ｓｆｃを生成し、電源供給装置１０の出力電流Ｉｏｐｓを制御する。このように、調光信号Ｓｄの大きさを制御して、電源供給装置１０の出力電流を定格出力電流値に制御できる。当然のように、電源供給装置１０の出力電流を調光出力電流範囲内の任意大きさの電流にも制御できる。なお、タイマーにより時間と相関するように、例えば出力電流の保持時間、定常状態になるまでの調整時間等に応じて出力電流を制御できる。
【００２２】
（実施形態１）
図２は、本発明の電源供給装置の出力電流制御方法の第１実施形態の波形を示す図である。出力電流を制御する方法については、電源供給装置の出力電流の波形変化を示しながら後述する。図２の横軸は時間を表し、縦軸は出力電流の大きさを表す。図６は、本発明の電源供給装置の出力電流制御方法の第１実施形態のフローチャートを示す図である。図２には、第１電流波形曲線Ｃ１１および第２電流波形曲線Ｃ２１の二つの出力電流曲線を含んでいる。ここで、二つの電流波形曲線における最大の差異は、電源供給装置起動フロー完了後に提供される出力電流の定常値が異なるところにある。言い換えれば、第１電流波形曲線Ｃ１１の方式とおりに起動フローを完了した場合の電源供給装置の出力電流定常値は、第２電流波形曲線Ｃ２１の方式とおりに起動フローを完了した場合の出力電流定常値より小さい。さらに詳しい説明は、電流値を仮定しながら後述する。
【００２３】
本実施形態の電流制御方法は、電源供給装置の出力電流を制御する方法であって、具体的には次のとおりである。
【００２４】
まず、電源供給装置起動時にその出力電流を上げる（Ｓ１０２）。電源供給装置は、起動時刻ｔｏ１に通電起動され、その出力電流Ｉｏを上げ、定格時刻ｔｍ1に出力電流Ｉｏを定格出力電流値Ｉｏｍ１まで上げる。出力電流制御をわかりやすく説明するため、本発明のすべての実施形態において、電源供給装置起動時の突入電流（ｏｖｅｒｓｈｏｏｔ）に対する検討を省略する。
【００２５】
次に、出力電流Ｉｏが定格出力電流値Ｉｏｍ１まで上がったら、出力電流Ｉｏを下げ始める（Ｓ１０４）。本実施形態において、仮に出力電流Ｉｏの定格出力電流値Ｉｏｍ１が４５０ｍＡであるとすると、出力電流Ｉｏが４５０ｍＡまで上がったら、出力電流Ｉｏを下げ始める。
【００２６】
最後に、出力電流Ｉｏが定常出力電流値まで下がったら、出力電流を当該定常出力電流値に保持する（Ｓ１０６）。すなわち、出力電流を当該定常出力電流値に保持することにより、定電流調光制御（ｃｏｎｓｔａｎｔ−ｃｕｒｒｅｎｔ  ｄｉｍｍｉｎｇ）する。
【００２７】
本実施形態において、電源供給装置を第１電流波形曲線Ｃ１１の方式とおりに操作すると、第１定常出力電流値Ｉｏ１１が出力される。仮に、第１定常出力電流値Ｉｏ１１が定格出力電流値Ｉｏｍ１の５０パーセントであるとすると、第１定常出力電流値Ｉｏ１１は２２５ｍＡとなる。同様に、電源供給装置を第２電流波形曲線Ｃ２１の方式とおりに操作すると、第２定常出力電流値Ｉｏ２１が出力される。仮に、第２定常出力電流値Ｉｏ２１が定格出力電流値Ｉｏｍ１の７５パーセントであるとすると、第２定常出力電流値Ｉｏ２１は３３７．５ｍＡとなる。ただし、上記第１定常出力電流値Ｉｏ１１および第２定常出力電流値Ｉｏ２１は出力電流Ｉｏの二つの出力電流値だけであって、調光出力電流範囲内に含まれる出力電流Ｉｏであれば、電源供給装置の定常出力電流値となり得る。なお、第１定常出力電流値Ｉｏ１１および第２定常出力電流値Ｉｏ２１は定格出力電流値Ｉｏｍ１より小さい。言い換えれば、同じ一台の電源供給装置でその内部部品を変更せず、ソフトウェアまたはファームウェアにより異なる出力電流を制御することにより、同一種類の電源安全規格の認証を適用できる。すなわち、電源供給装置を第１電流波形曲線Ｃ１１および第２電流波形曲線Ｃ２１、またはその他の電流波形曲線の方式とおりに操作しても、同じ安全規格認証を申請できる。出力電流Ｉｏは定常時刻ｔｔ１に第１定常出力電流値Ｉｏ１１または第２定常出力電流値Ｉｏ２１になっているところに注意されたい。ここで、定格時刻ｔｍ１と定常時刻ｔｔ１との時間間隔は電流調整時間Ｔｊ１（すなわち、Ｔｊ１＝ｔｔ１−ｔｍ１）であって、本発明において、電流調整時間Ｔｊ１が１０秒より小さいことが好ましい。また、定格時刻ｔｍ１、定常時刻ｔｔ１、および電流調整時間Ｔｊ１はタイマーにより制御される。
【００２８】
本実施形態は調光機能をそなえるＬＥＤ街路灯システムと異なる。ＬＥＤ街路灯システムは、主に環境中の光を感知して、ＬＥＤ街路灯を点灯または消灯する。一般気象条件の下、ＬＥＤ街路灯の調光時間は数時間単位で計算されるのが通常である。しかし、本発明における電源供給装置１０の出力電流制御方法は、電源供給装置を起動してから定常状態段階になるまでの出力電流の制御フローを強調している。
【００２９】
（実施形態２）
図３は、本発明の電源供給装置の出力電流制御方法の第２実施形態の波形を示す図である。出力電流を制御する方法については、電源供給装置の出力電流の波形変化を示しながら後述する。図３の横軸は時間を表し、縦軸は出力電流の大きさを表す。図７は、本発明の電源供給装置の出力電流制御方法の第２実施形態のフローチャートを示す図である。図３には、第１電流波形曲線Ｃ１２および第２電流波形曲線Ｃ２２の二つの出力電流曲線を含んでいる。ここで、二つの電流波形曲線における最大の差異は、電源供給装置起動フロー完了後に提供される出力電流の定常値が異なるところにある。言い換えれば、第１電流波形曲線Ｃ１２の方式とおりに起動フローを完了した場合の電源供給装置の出力電流定常値は、第２電流波形曲線Ｃ２２の方式とおりに起動フローを完了した場合の出力電流定常値より小さい。さらに詳しい説明は、電流値を仮定しながら後述する。
【００３０】
本実施形態の電流制御方法は、電源供給装置の出力電流を制御する方法であって、具体的には次のとおりである。
【００３１】
まず、電源供給装置起動時にその出力電流を上げる（Ｓ２０２）。電源供給装置は、起動時刻ｔｏ２に通電起動され、その出力電流Ｉｏを上げ、定格時刻ｔｍ２に出力電流Ｉｏを定格出力電流値Ｉｏｍ２まで上げる。出力電流制御をわかりやすく説明するため、本発明のすべての実施形態において、電源供給装置起動時の突入電流（ｏｖｅｒｓｈｏｏｔ）に対する検討を省略する。
【００３２】
次に、出力電流Ｉｏが定格出力電流値Ｉｏｍ２まで上がったら、出力電流Ｉｏを下げ始める（Ｓ２０４）。本実施形態において、仮に出力電流Ｉｏの定格出力電流値Ｉｏｍ２が４５０ｍＡであるとすると、出力電流Ｉｏが４５０ｍＡまで上がったら、出力電流Ｉｏを下げ始める。
【００３３】
次に、出力電流Ｉｏが緩衝出力電流値まで下がったら、出力電流を当該緩衝出力電流値に保持する（Ｓ２０６）。出力電流Ｉｏは緩衝時刻ｔｂ２に第１緩衝出力電流値Ｉｏｂ１２または第２緩衝出力電流値Ｉｏｂ２２になっているところに注意されたい。
【００３４】
次に、緩衝保持時間経過後、再び出力電流を下げる（Ｓ２０８）。電源供給装置は第１緩衝出力電流値Ｉｏｂ１２または第２緩衝出力電流値Ｉｏｂ２２を緩衝保持時間Ｔｂ２間、継続出力後、再び出力電流Ｉｏを下げる。
【００３５】
最後に、出力電流Ｉｏが定常出力電流値まで下がったら、出力電流を当該定常出力電流値に保持する（Ｓ２１０）。すなわち、出力電流を当該定常出力電流値に保持することにより、定電流調光制御（ｃｏｎｓｔａｎｔ−ｃｕｒｒｅｎｔ  ｄｉｍｍｉｎｇ）する。
【００３６】
本実施形態において、電源供給装置を第１電流波形曲線Ｃ１２の方式とおりに操作すると、第１定常出力電流値Ｉｏ１２が出力される。仮に、第１定常出力電流値Ｉｏ１２が定格出力電流値Ｉｏｍ２の５０パーセントであるとすると、第１定常出力電流値Ｉｏ１２は２２５ｍＡとなる。同様に、電源供給装置を第２電流波形曲線Ｃ２２の方式とおりに操作すると、第２定常出力電流値Ｉｏ２２が出力される。仮に、第２定常出力電流値Ｉｏ２２が定格出力電流値Ｉｏｍ２の７５パーセントであるとすると、第２定常出力電流値Ｉｏ２２は３３７．５ｍＡとなる。ただし、上記第１定常出力電流値Ｉｏ１２および第２定常出力電流値Ｉｏ２２は出力電流Ｉｏの二つの出力電流値だけであって、調光出力電流範囲内に含まれる出力電流Ｉｏであれば、電源供給装置の定常出力電流値となり得る。なお、第１定常出力電流値Ｉｏ１２および第２定常出力電流値Ｉｏ２２は定格出力電流値Ｉｏｍ２より小さい。言い換えれば、同じ一台の電源供給装置でその内部部品を変更せず、ソフトウェアまたはファームウェアにより異なる出力電流を制御することにより、同一種類の電源安全規格の認証を適用できる。すなわち、電源供給装置を第１電流波形曲線Ｃ１２および第２電流波形曲線Ｃ２２、またはその他の電流波形曲線の方式とおりに操作しても、同じ安全規格認証を申請できる。出力電流Ｉｏは定常時刻ｔｔ２に第１定常出力電流値Ｉｏ１２または第２定常出力電流値Ｉｏ２２になっているところに注意されたい。また、第１緩衝出力電流値Ｉｏｂ１２および第２緩衝出力電流値Ｉｏｂ２２はそれぞれ対応する第１定常出力電流値Ｉｏ１２および第２定常出力電流値Ｉｏ２２より大きい。なお、第１実施形態（図２参照）と比べ、最大の差異は、本実施形態における緩衝保持時間Ｔｂ２時間内、第１緩衝出力電流値Ｉｏｂ１２または第２緩衝出力電流値Ｉｏｂ２２を継続出力するところにある。定格出力電流値Ｉｏｍ２から第１定常出力電流値Ｉｏ１２または第２定常出力電流値Ｉｏ２２に下げるまで出力電流Ｉｏを緩衝させることで、短時間内の出力電流の変化量を減らす。ただし、定格出力電流値Ｉｏｍ２および定常出力電流値Ｉｏ１２、Ｉｏ２２の間には、一つの緩衝出力電流値に限定せず、実務上の必要に応じて、多数の緩衝出力電流値を提供してもよい。ここで、定格時刻ｔｍ２と定常時刻ｔｔ２との時間間隔は電流調整時間Ｔｊ２（すなわち、Ｔｊ２＝ｔｔ２−ｔｍ２）であって、本発明において、電流調整時間Ｔｊ２が１０秒より小さく、緩衝保持時間Ｔｂ２が１秒より小さいことが好ましい。また、定格時刻ｔｍ２、緩衝時刻ｔｂ２、定常時刻ｔｔ２、および緩衝保持時間Ｔｂ２、電流調整時間Ｔｊ２はタイマーにより制御される。
【００３７】
本実施形態は調光機能をそなえるＬＥＤ街路灯システムと異なる。ＬＥＤ街路灯システムは、主に環境中の光を感知して、ＬＥＤ街路灯を点灯または消灯する。一般気象条件の下、ＬＥＤ街路灯の調光時間は数時間単位で計算されるのが通常である。しかし、本発明における電源供給装置１０の出力電流制御方法は、電源供給装置が起動してから定常状態段階になるまでの出力電流の制御フローを強調している。
【００３８】
（実施形態３）
図４は、本発明の電源供給装置の出力電流制御方法の第３実施形態の波形を示す図である。出力電流を制御する方法については、電源供給装置の出力電流の波形変化を示しながら後述する。図４の横軸は時間を表し、縦軸は出力電流の大きさを表す。図８は、本発明の電源供給装置の出力電流制御方法の第３実施形態のフローチャートを示す図である。図４には、第１電流波形曲線Ｃ１３および第２電流波形曲線Ｃ２３の二つの出力電流曲線を含んでいる。ここで、二つの電流波形曲線における最大の差異は、電源供給装置起動フロー完了後に提供される出力電流の定常値が異なるところにある。言い換えれば、第１電流波形曲線Ｃ１３の方式とおりに起動フローを完了した場合の電源供給装置の出力電流定常値は、第２電流波形曲線Ｃ２３の方式とおりに起動フローを完了した場合の出力電流定常値より小さい。さらに詳しい説明は、電流値を仮定しながら後述する。
【００３９】
本実施形態の電流制御方法は、電源供給装置の出力電流を制御する方法であって、具体的には次のとおりである。
【００４０】
まず、電源供給装置起動時にその出力電流を上げる（Ｓ３０２）。電源供給装置は、起動時刻ｔｏ３に通電起動され、その出力電流Ｉｏを上げ、定格時刻ｔｍ３に出力電流Ｉｏを定格出力電流値Ｉｏｍ３まで上げる。出力電流制御をわかりやすく説明するため、本発明のすべての実施形態において、電源供給装置起動時の突入電流（ｏｖｅｒｓｈｏｏｔ）に対する検討を省略する。
【００４１】
次に、出力電流Ｉｏが定格出力電流値Ｉｏｍ３まで上がったら、出力電流を当該定格出力電流値に保持する（Ｓ３０４）。
【００４２】
次に、定格保持時間経過後、出力電流を下げ始める（Ｓ３０６）。電源供給装置は定格出力電流値Ｉｏｍ３を定格保持時間Ｔｍ３間、継続出力後、出力電流Ｉｏを下げ始める。本実施形態において、仮に出力電流Ｉｏの定格出力電流値Ｉｏｍ３が４５０ｍＡであるとすると、出力電流Ｉｏが４５０ｍＡまで上がり、定格出力電流値Ｉｏｍ３を定格保持時間Ｔｍ３間継続出力する。
【００４３】
最後に、出力電流Ｉｏが定常出力電流値まで下がったら、出力電流を当該定常出力電流値に保持する（Ｓ３０８）。すなわち、出力電流を当該定常出力電流値に保持することにより、定電流調光制御（ｃｏｎｓｔａｎｔ−ｃｕｒｒｅｎｔ  ｄｉｍｍｉｎｇ）する。
【００４４】
本実施形態において、電源供給装置を第１電流波形曲線Ｃ１３の方式とおりに操作すると、第１定常出力電流値Ｉｏ１３が出力される。仮に、第１定常出力電流値Ｉｏ１３が定格出力電流値Ｉｏｍ３の５０パーセントであるとすると、第１定常出力電流値Ｉｏ１３は２２５ｍＡとなる。同様に、電源供給装置を第２電流波形曲線Ｃ２３の方式とおりに操作すると、第２定常出力電流値Ｉｏ２３が出力される。仮に、第２定常出力電流値Ｉｏ２３が定格出力電流値Ｉｏｍ３の７５パーセントであるとすると、第２定常出力電流値Ｉｏ２３は３３７．５ｍＡとなる。ただし、上記第１定常出力電流値Ｉｏ１３および第２定常出力電流値Ｉｏ２３は出力電流Ｉｏの二つの出力電流値だけであって、調光出力電流範囲内に含まれる出力電流Ｉｏであれば、電源供給装置の定常出力電流値となり得る。なお、第１定常出力電流値Ｉｏ１３および第２定常出力電流値Ｉｏ２３は定格出力電流値Ｉｏｍ３より小さい。言い換えれば、同じ一台の電源供給装置でその内部部品を変更せず、ソフトウェアまたはファームウェアにより異なる出力電流を制御することにより、同一種類の電源安全規格の認証を適用できる。すなわち、電源供給装置を第１電流波形曲線Ｃ１３および第２電流波形曲線Ｃ２３、またはその他の電流波形曲線の方式とおりに操作しても、同じ安全規格認証を申請できる。出力電流Ｉｏは定常時刻ｔｔ３に第１定常出力電流値Ｉｏ１３または第２定常出力電流値Ｉｏ２３になっているところに注意されたい。ここで、定格時刻ｔｍ３と定常時刻ｔｔ３との時間間隔は電流調整時間Ｔｊ３（すなわち、Ｔｊ３＝ｔｔ３−ｔｍ３）であって、本発明において、電流調整時間Ｔｊ３が１０秒より小さく、定格保持時間Ｔｍ３が１秒より小さいことが好ましい。ここで、定格時刻ｔｍ３、定常時刻ｔｔ３、および定格保持時間Ｔｍ３、電流調整時間Ｔｊ３はタイマーにより制御される。
【００４５】
本実施形態は調光機能をそなえるＬＥＤ街路灯システムと異なる。ＬＥＤ街路灯システムは、主に環境中の光を感知して、ＬＥＤ街路灯を点灯または消灯する。一般気象条件の下、ＬＥＤ街路灯の調光時間は数時間単位で計算されるのが通常である。しかし、本発明における電源供給装置１０の出力電流制御方法は、電源供給装置が起動してから定常状態段階になるまでの出力電流の制御フローを強調している。
【００４６】
（実施形態４）
図５は、本発明の電源供給装置の出力電流制御方法の第４実施形態の波形を示す図である。出力電流を制御する方法については、電源供給装置の出力電流の波形変化を示しながら後述する。図５の横軸は時間を表し、縦軸は出力電流の大きさを表す。図９は、本発明の電源供給装置の出力電流制御方法の第４実施形態のフローチャートを示す図である。図５には、第１電流波形曲線Ｃ１４および第２電流波形曲線Ｃ２４の二つの出力電流曲線を含んでいる。ここで、二つの電流波形曲線における最大の差異は、電源供給装置起動フロー完了後に提供される出力電流の定常値が異なるところにある。言い換えれば、第１電流波形曲線Ｃ１４の方式とおりに起動フローを完了した場合の電源供給装置の出力電流定常値は、第２電流波形曲線Ｃ２４の方式とおりに起動フローを完了した場合の出力電流定常値より小さい。さらに詳しい説明は、電流値を仮定しながら後述する。
【００４７】
本実施形態の電流制御方法は、電源供給装置の出力電流を制御する方法であって、具体的には次のとおりである。
【００４８】
まず、電源供給装置起動時にその出力電流を上げる（Ｓ４０２）。電源供給装置は、起動時刻ｔｏ４に通電起動され、その出力電流Ｉｏを上げ、定格時刻ｔｍ４に出力電流Ｉｏを定格出力電流値Ｉｏｍ４まで上げる。出力電流制御をわかりやすく説明するため、本発明のすべての実施形態においては、電源供給装置起動時の突入電流（ｏｖｅｒｓｈｏｏｔ）に対する検討を省略する。
【００４９】
次に、出力電流Ｉｏが定格出力電流値Ｉｏｍ４まで上がったら、出力電流を当該定格出力電流値に保持する（Ｓ４０４）。
【００５０】
次に、定格保持時間経過後、出力電流を下げ始める（Ｓ４０６）。電源供給装置は定格出力電流値Ｉｏｍ４を定格保持時間Ｔｍ４間、継続出力後、出力電流Ｉｏを下げ始める。本実施形態において、仮に出力電流Ｉｏの定格出力電流値Ｉｏｍ４が４５０ｍＡであるとすると、出力電流Ｉｏが４５０ｍＡまで上がり、定格出力電流値Ｉｏｍ４を定格保持時間Ｔｍ４間継続出力する。
【００５１】
次に、出力電流Ｉｏが緩衝出力電流値まで下がったら、出力電流を当該緩衝出力電流値に保持する（Ｓ４０８）。出力電流Ｉｏは緩衝時刻ｔｂ４に第１緩衝出力電流値Ｉｏｂ１４または第２緩衝出力電流値Ｉｏｂ２４になっていることに注意されたい。
【００５２】
次に、緩衝保持時間経過後、再び出力電流を下げる（Ｓ４１０）。電源供給装置は第１緩衝出力電流値Ｉｏｂ１４または第２緩衝出力電流値Ｉｏｂ２４を緩衝保持時間Ｔｂ４間、継続出力後、再び出力電流Ｉｏを下げる。
【００５３】
最後に、出力電流Ｉｏが定常出力電流値まで下がったら、出力電流を当該定常出力電流値に保持する（Ｓ４１２）。すなわち、出力電流を当該定常出力電流値に保持することにより、定電流調光制御（ｃｏｎｓｔａｎｔ−ｃｕｒｒｅｎｔ  ｄｉｍｍｉｎｇ）する。
【００５４】
本実施形態において、電源供給装置を第１電流波形曲線Ｃ１４の方式とおりに操作すると、第１定常出力電流値Ｉｏ１４が出力される。仮に、第１定常出力電流値Ｉｏ１４が定格出力電流値Ｉｏｍ４の５０パーセントであるとすると、第１定常出力電流値Ｉｏ１４は２２５ｍＡとなる。同様に、電源供給装置を第２電流波形曲線Ｃ２４の方式とおりに操作すると、第２定常出力電流値Ｉｏ２４が出力される。仮に、第２定常出力電流値Ｉｏ２４が定格出力電流値Ｉｏｍ４の７５パーセントであるとすると、第２定常出力電流値Ｉｏ２４は３３７．５ｍＡとなる。ただし、上記第１定常出力電流値Ｉｏ１４および第２定常出力電流値Ｉｏ２４は出力電流Ｉｏの二つの出力電流値だけであって、調光出力電流範囲内に含まれる出力電流Ｉｏであれば、電源供給装置の定常出力電流値となり得る。なお、第１定常出力電流値Ｉｏ１４および第２定常出力電流値Ｉｏ２４は定格出力電流値Ｉｏｍ４より小さい。言い換えれば、同じ一台の電源供給装置でその内部部品を変更せず、ソフトウェアまたはファームウェアにより異なる出力電流を制御することにより、同一種類の電源安全規格の認証を適用できる。すなわち、電源供給装置を第１電流波形曲線Ｃ１４および第２電流波形曲線Ｃ２４、またはその他の電流波形曲線の方式とおりに操作しても、同じ安全規格認証を申請できる。出力電流Ｉｏは定常時刻ｔｔ４に第１定常出力電流値Ｉｏ１４または第２定常出力電流値Ｉｏ２４になっているところに注意されたい。また、第１緩衝出力電流値Ｉｏｂ１４および第２緩衝出力電流値Ｉｏｂ２４はそれぞれ対応する第１定常出力電流値Ｉｏ１４および第２定常出力電流値Ｉｏ２４より大きい。なお、第３実施形態（図４参照）と比べ、最大の差異は、本実施形態における緩衝保持時間Ｔｂ４時間内、第１緩衝出力電流値Ｉｏｂ１４または第２緩衝出力電流値Ｉｏｂ２４を継続出力するところにある。定格出力電流値Ｉｏｍ４から第１定常出力電流値Ｉｏ１４または第２定常出力電流値Ｉｏ２４に下げるまで出力電流Ｉｏを緩衝させることで、短時間内の出力電流の変化量を減らす。ただし、定格出力電流値Ｉｏｍ４および定常出力電流値Ｉｏ１４、Ｉｏ２４の間には、一つの緩衝出力電流値に限定せず、実務上の必要に応じて、多数の緩衝出力電流値を提供してもよい。ここで、定格時刻ｔｍ４と定常時刻ｔｔ４との時間間隔は電流調整時間Ｔｊ４（すなわち、Ｔｊ４＝ｔｔ４−ｔｍ４）であって、本発明において、電流調整時間Ｔｊ４が１０秒より小さく、定格保持時間Ｔｍ４が１秒より小さく、緩衝保持時間Ｔｂ４が１秒より小さいことが好ましい。ここで、定格時刻ｔｍ４、緩衝時刻ｔｂ４、定常時刻ｔｔ４、および定格保持時間Ｔｍ４緩衝保持時間Ｔｂ４、電流調整時間Ｔｊ４はタイマーにより制御される。
【００５５】
本実施形態は調光機能をそなえるＬＥＤ街路灯システムと異なる。ＬＥＤ街路灯システムは、主に環境中の光を感知して、ＬＥＤ街路灯を点灯または消灯する。一般気象条件の下、ＬＥＤ街路灯の調光時間は数時間単位で計算されるのが通常である。しかし、本発明における電源供給装置１０の出力電流制御方法は、電源供給装置が起動してから定常状態段階になるまでの出力電流の制御フローを強調している。
【００５６】
また、本発明は、上述した各実施形態に限定されるものではなく、種々の変化が可能である。本発明の技術的範囲は特許請求の範囲の記載に基づいて定められ、本発明の技術的思想および技術的思想から変化されるあらゆる実施形態は、すべて本発明の技術的範囲に含まれる。任意の当業者が本発明に基づいて、容易に想到できる変化または改造もすべて本発明の特許請求の範囲に含まれる。
【符号の説明】
【００５７】
１０  電源供給装置、
２０  電流測定ユニット、
３０  出力電流制御ユニット、
４０  フィードバック回路、
５０  一列のフォトダイオード。
【図１】
2013201879.tif 000003
【図２】
2013201879.tif 000004
【図３】
2013201879.tif 000005
【図４】
2013201879.tif 000006
【図５】
2013201879.tif 000007
【図６】
2013201879.tif 000008
【図７】
2013201879.tif 000009
【図８】
2013201879.tif 000010
【図９】
2013201879.tif 000011